(57)【特許請求の範囲】
【請求項１】
無線チャネル状態を測定する無線チャネル状態測定手段；
該無線チャネル状態測定手段により測定された無線チャネル状態を所定の期間平均化する無線チャネル状態平均化手段；
無線アクセスネットワーク装置から指定された無線チャネル状態の閾値とメッセージ種別とを記憶する無線チャネル状態閾値記憶手段；
平均化された無線チャネル状態を前記閾値と比較する無線チャネル状態比較手段；
前記平均化された無線チャネル状態が前記閾値以上であるセルの識別子と無線チャネル状態を前記無線アクセスネットワーク装置に報告する無線チャネル状態報告手段；
を備え、
前記無線チャネル状態報告手段は、前記無線アクセスネットワーク装置により指定されるべきメッセージ種別に含まれるMAC(Media Access Control)メッセージとして、前記平均化された無線チャネル状態が前記閾値以上であるセルの識別子と無線チャネル状態を報告することを特徴とする移動局。
【請求項２】
請求項１に記載の移動局において：
前記無線チャネル状態測定手段は、接続中のセルおよび周辺セルの無線チャネル状態を測定することを特徴とする移動局。
【請求項３】
請求項１または２に記載の移動局において：
前記無線チャネル状態閾値記憶手段は、無線アクセスネットワーク装置により群分けされたセル群毎に閾値を記憶することを特徴とする移動局。
【請求項４】
請求項１ないし３のいずれか１項に記載の移動局において：
前記無線チャネル状態報告手段は、無線アクセスネットワーク装置により群分けされたセル群毎に無線チャネル状態を異なるメッセージとして報告することを特徴とする移動局。
【請求項５】
請求項４に記載の移動局において：
前記無線チャネル状態報告手段は、前記メッセージを、ＲＲＣ（Ｒａｄｉｏ Ｒｅｓｏｕｒｃｅ Ｃｏｎｔｒｏｌ）メッセージとＭＡＣ（Ｍｅｄｉａ Ａｃｃｅｓｓ Ｃｏｎｔｒｏｌ）メッセージとして、報告することを特徴とする移動局。
【請求項６】
受信レベルの閾値とともに、報告メッセージ種別を示す情報を通知する無線チャネル状態閾値通知手段；
移動局から報告された無線チャネル状態を受信する受信手段；
該受信手段により受信された無線チャネル状態に基づいて、通信セルの変更を指示する通信セル変更手段；
移動局から報告された無線チャネル状態に基づいて、変更後のセルで使用する移動局識別子を通知する移動局識別子通知手段；
を備え、
前記受信手段は、前記無線チャネル状態閾値通知手段により通知した報告メッセージ種別に含まれるMACメッセージとして、前記移動局から報告された無線チャネル状態を受信することを特徴とする無線アクセスネットワーク装置。
【請求項７】
請求項６に記載の無線アクセスネットワーク装置において：
前記無線チャネル状態閾値通知手段は、１または複数のセルから構成されるセル群毎に閾値を通知することを特徴とする無線アクセスネットワーク装置。
【請求項８】
移動局と無線アクセスネットワーク装置から構成される移動通信システムであって：
前記移動局は、
無線チャネル状態を測定する無線チャネル状態測定手段；
該無線チャネル状態測定手段により測定された無線チャネル状態を所定の期間平均化する無線チャネル状態平均化手段；
無線アクセスネットワーク装置から指定された無線チャネル状態の閾値とメッセージ種別とを記憶する無線チャネル状態閾値記憶手段；
平均化された無線チャネル状態を前記閾値と比較する無線チャネル状態比較手段；
前記平均化された無線チャネル状態が前記閾値以上であるセルの識別子と無線チャネル状態を前記無線アクセスネットワーク装置に報告する無線チャネル状態報告手段；
を備え、
前記無線チャネル状態報告手段は、前記無線アクセスネットワーク装置により指定されるべきメッセージ種別に含まれるMAC(Media Access Control)メッセージとして、前記平均化された無線チャネル状態が前記閾値以上であるセルの識別子と無線チャネル状態を報告し、
前記無線アクセスネットワーク装置は、
受信レベルの閾値とともに、報告メッセージ種別を示す情報を通知する無線チャネル状態閾値通知手段；
移動局から報告された無線チャネル状態を受信する受信手段；
該受信手段により受信された無線チャネル状態に基づいて、通信セルの変更を指示する通信セル変更手段；
移動局から報告された無線チャネル状態に基づいて、変更後のセルで使用する移動局識別子を通知する移動局識別子通知手段；
を備え、
前記受信手段は、前記無線チャネル状態閾値通知手段により通知した報告メッセージ種別に含まれるMACメッセージとして、前記移動局から報告された無線チャネル状態を受信することを特徴とする移動通信システム。
【請求項９】
移動局と無線アクセスネットワーク装置とから構成される移動通信システムにおけるモビリティ制御方法であって：
前記移動局は、
無線チャネル状態を測定する無線チャネル状態測定ステップ；
該無線チャネル状態測定ステップより測定された無線チャネル状態を所定の期間平均化する無線チャネル状態平均化ステップ；
無線アクセスネットワーク装置から指定された無線チャネル状態の閾値とメッセージ種別とを記憶する無線チャネル状態閾値記憶ステップ；
平均化された無線チャネル状態を前記閾値と比較する無線チャネル状態比較ステップ；
前記平均化された無線チャネル状態が前記閾値以上であるセルの識別子と無線チャネル状態を無線アクセスネットワーク装置に報告する無線チャネル状態報告ステップ；
を備え、
前記無線チャネル状態報告ステップでは、前記無線アクセスネットワーク装置により指定されるべきメッセージ種別に含まれるMAC(Media Access Control)メッセージとして、前記平均化された無線チャネル状態が前記閾値以上であるセルの識別子と無線チャネル状態を報告し、
前記無線アクセスネットワーク装置は、
受信レベルの閾値とともに、報告メッセージ種別を示す情報を通知する無線チャネル状態閾値通知ステップ；
移動局から報告された無線チャネル状態を受信する受信ステップ；
該受信ステップにより受信された無線チャネル状態に基づいて、通信セルの変更を指示する通信セル変更ステップ；
変更後のセルで使用する移動局識別子を通知する移動局識別子通知ステップ；
を有し、
前記受信ステップでは、前記無線チャネル状態閾値通知ステップにより通知した報告メッセージ種別に含まれるMACメッセージとして、前記移動局から報告された無線チャネル状態を受信することを特徴とするモビリティ制御方法。
【発明の詳細な説明】
【技術分野】
【０００１】
本発明は、移動局および無線アクセスネットワーク装置並びにモビリティ制御方法に関する。
【背景技術】
【０００２】
セルラシステムでは、ユーザの移動に伴い接続するセルを適宜切り替えるハンドオーバ制御が行われている。ハンドオーバ制御では、適切なセルへハンドオーバするために、移動局において接続セルおよび周辺セルの伝搬状況が測定され、その測定結果に基づいてハンドオーバが実施される。
【０００３】
ここで、周辺セルとは、現在接続しているセルと同一周波数、同一基地局装置で運用されているセル、現在接続しているセルとは異なる周波数だが、同一基地局装置で運用されているセル、現在接続しているセルと同一周波数だが、異なる基地局想定で運用されているセルおよび現在接続しているセルとは異なる周波数で、異なる基地局装置で運用されているセルのうち少なくとも１つである。これらの周辺セルへハンドオーバしようとした場合、移動局において周辺セルや接続セルの伝搬環境を測定する必要がある。
【０００４】
ここで、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）などの無線通信システムでは、高速フェージングに追従したリンクアダプテーション、例えば送信電力制御やＡＭＣ（Ａｄａｐｔｉｖｅ  Ｍｏｄｕｌａｔｉｏｎ  ａｎｄ  Ｃｏｄｉｎｇ）を行うために、移動局は接続している基地局装置のＭＡＣ（Ｍｅｄｉａ  Ａｃｃｅｓｓ  Ｃｏｎｔｒｏｌ）Ｅｎｔｉｔｙへ接続セルの無線チャネル状況（以下、ＣＱＩ（Ｃｈａｎｎｅｌ  Ｑｕａｌｉｔｙ  Ｉｎｄｉｃａｔｏｒ（ＣＱＩ）と呼ぶ）を頻繁に報告している。例えば、ＨＳＤＰＡでは、移動局において基地局装置から送信される共通パイロットチャネルのＥＣ／Ｉ０(受信チップエネルギー対干渉電力比)を測定し、これをＣＱＩとして、２ｍｓの周期、あるいはその整数倍の周期で報告している。
【０００５】
一方、ハンドオーバ制御を行うために、移動局は接続しているセルおよび周辺セルの共通パイロットチャネルのＥＣ／Ｉ０、またはパスロスを測定し、ＲＲＣ（Ｒａｄｉｏ  Ｒｅｓｏｕｒｃｅ  Ｃｏｎｔｒｏｌ）で測定結果を周期的に報告することを指示されている場合は、測定結果を定期的にＲＲＣメッセージで無線ネットワーク制御装置に報告する。また、移動局はＲＲＣで報告条件が指定されている場合は、報告条件と測定結果を比較し、条件を満足している場合は、ＲＲＣメッセージとして、条件を満足していることを報告する。
【発明の開示】
【発明が解決しようとする課題】
【０００６】
しかしながら、上述した背景技術には以下の問題がある。
【０００７】
上述したような無線通信システムでは、ハンドオーバ制御に関する報告や指示がＲＲＣで実施されているため、一般的にＭＡＣでの処理に比べ、処理時間が長くなる、という問題がある。また、ＲＲＣ  Ｅｎｔｉｔｙを実装している装置の処理負荷が大きくなることが懸念される。
【０００８】
そこで、本発明は上述の問題を解決するためになされたものであり、その目的は、ハンドオーバ制御の処理時間を短縮しつつ、ＲＲＣ  Ｅｎｔｉｔｙを実装している装置の処理負荷を低減することのできる移動局および無線アクセスネットワーク装置並びにモビリティ制御方法を提供することにある。
【課題を解決するための手段】
【０００９】
上記課題を解決するため、本発明の移動局は、無線チャネル状態を測定する無線チャネル状態測定手段と、該無線チャネル状態測定手段により測定された無線チャネル状態を所定の期間平均化する無線チャネル状態平均化手段と、無線アクセスネットワーク装置から指定された無線チャネル状態の閾値とメッセージ種別とを記憶する無線チャネル状態閾値記憶手段と、平均化された無線チャネル状態を前記閾値と比較する無線チャネル状態比較手段と、前記平均化された無線チャネル状態が前記閾値以上であるセルの識別子と無線チャネル状態を前記無線アクセスネットワーク装置に報告する無線チャネル状態報告手段とを備え、前記無線チャネル状態報告手段は、前記無線アクセスネットワーク装置により指定されるべきメッセージ種別に含まれるMAC(Media Access Control)メッセージとして、前記平均化された無線チャネル状態が前記閾値以上であるセルの識別子と無線チャネル状態を報告する。
【００１０】
このように構成することにより、従来は接続セルのみの報告であったＣＱＩ報告を閾値以上となった複数セルのＣＱＩ報告に拡張することができる。このため、ＭＡＣ  Ｅｎｔｉｔｙでも一部のモビリティ制御が可能となり、モビリティ制御の高速化、およびＲＲＣを処理している装置の処理負荷を軽減することができる。
【００１１】
また、本発明にかかる無線アクセスネットワーク装置は、受信レベルの閾値とともに、報告メッセージ種別を示す情報を通知する無線チャネル状態閾値通知手段と、移動局から報告された無線チャネル状態を受信する受信手段と、該受信手段により受信された無線チャネル状態に基づいて、通信セルの変更を指示する通信セル変更手段と、移動局から報告された無線チャネル状態に基づいて、変更後のセルで使用する移動局識別子を通知する移動局識別子通知手段とを備え、前記受信手段は、前記無線チャネル状態閾値通知手段により通知した報告メッセージ種別に含まれるMACメッセージとして、前記移動局から報告された無線チャネル状態を受信する。
【００１２】
このように構成することにより、従来は接続セルのみの報告であったＣＱＩ報告を閾値以上となった１または複数セルのＣＱＩ報告に拡張することができる。このため、ＭＡＣ  Ｅｎｔｉｔｙで制御されるＣＱＩ報告を利用して、セル変更や移動局ＩＤ割り当てなどの一部のモビリティ制御が可能となり、モビリティ制御の高速化およびＲＲＣを処理している装置の処理負荷を軽減することができる。
【００１３】
本発明にかかる移動通信システムは、移動局と無線アクセスネットワーク装置から構成される移動通信システムであって、前記移動局は、無線チャネル状態を測定する無線チャネル状態測定手段と、該無線チャネル状態測定手段により測定された無線チャネル状態を所定の期間平均化する無線チャネル状態平均化手段と、無線アクセスネットワーク装置から指定された無線チャネル状態の閾値とメッセージ種別とを記憶する無線チャネル状態閾値記憶手段と、平均化された無線チャネル状態を前記閾値と比較する無線チャネル状態比較手段と、前記平均化された無線チャネル状態が前記閾値以上であるセルの識別子と無線チャネル状態を前記無線アクセスネットワーク装置に報告する無線チャネル状態報告手段とを備え、前記無線チャネル状態報告手段は、前記無線アクセスネットワーク装置により指定されるべきメッセージ種別に含まれるMAC(Media Access Control)メッセージとして、前記平均化された無線チャネル状態が前記閾値以上であるセルの識別子と無線チャネル状態を報告し、前記無線アクセスネットワーク装置は、受信レベルの閾値とともに、報告メッセージ種別を示す情報を通知する無線チャネル状態閾値通知手段と、移動局から報告された無線チャネル状態を受信する受信手段と、該受信手段により受信された無線チャネル状態に基づいて、通信セルの変更を指示する通信セル変更手段と、移動局から報告された無線チャネル状態に基づいて、変更後のセルで使用する移動局識別子を通知する移動局識別子通知手段とを備え、前記受信手段は、前記無線チャネル状態閾値通知手段により通知した報告メッセージ種別に含まれるMACメッセージとして、前記移動局から報告された無線チャネル状態を受信する。
【００１４】
このように構成することにより、従来は接続セルのみの報告であったＣＱＩ報告を閾値以上となった１または複数セルのＣＱＩ報告に拡張することができる。このため、ＭＡＣ  Ｅｎｔｉｔｙで制御されるＣＱＩ報告を利用して、セル変更や移動局ＩＤ割り当てなどの一部のモビリティ制御が可能となり、モビリティ制御の高速化、およびＲＲＣを処理している装置の処理負荷を軽減することができる。
【００１５】
本発明にかかるモビリティ制御方法は、移動局と無線アクセスネットワーク装置とから構成される移動通信システムにおけるモビリティ制御方法であって、前記移動局は、無線チャネル状態を測定する無線チャネル状態測定ステップと、該無線チャネル状態測定ステップより測定された無線チャネル状態を所定の期間平均化する無線チャネル状態平均化ステップと、無線アクセスネットワーク装置から指定された無線チャネル状態の閾値とメッセージ種別とを記憶する無線チャネル状態閾値記憶ステップと、平均化された無線チャネル状態を前記閾値と比較する無線チャネル状態比較ステップと、前記平均化された無線チャネル状態が前記閾値以上であるセルの識別子と無線チャネル状態を無線アクセスネットワーク装置に報告する無線チャネル状態報告ステップとを備え、前記無線チャネル状態報告ステップでは、前記無線アクセスネットワーク装置により指定されるべきメッセージ種別に含まれるMAC(Media Access Control)メッセージとして、前記平均化された無線チャネル状態が前記閾値以上であるセルの識別子と無線チャネル状態を報告し、前記無線アクセスネットワーク装置は、受信レベルの閾値とともに、報告メッセージ種別を示す情報を通知する無線チャネル状態閾値通知ステップと、移動局から報告された無線チャネル状態を受信する受信ステップと、該受信ステップにより受信された無線チャネル状態に基づいて、通信セルの変更を指示する通信セル変更ステップと、変更後のセルで使用する移動局識別子を通知する移動局識別子通知ステップとを有し、前記受信ステップでは、前記無線チャネル状態閾値通知ステップにより通知した報告メッセージ種別に含まれるMACメッセージとして、前記移動局から報告された無線チャネル状態を受信する。
【００１６】
このように構成することにより、従来は接続セルのみの報告であったＣＱＩ報告を閾値以上となった１または複数セルのＣＱＩ報告に拡張することができる。このため、ＭＡＣ  Ｅｎｔｉｔｙで制御されるＣＱＩ報告を利用して、セル変更や移動局ＩＤ割り当て等の一部のモビリティ制御が可能となり、モビリティ制御の高速化、およびＲＲＣを処理している装置の処理負荷を軽減することができる。
【発明の効果】
【００１７】
本発明の実施例によれば、一部のセル変更手順において、セル変更手順の高速化を可能にし、またＲＲＣを処理している装置の処理負荷を低減することができる移動局および無線アクセスネットワーク装置並びにモビリティ制御方法を実現できる。
【発明を実施するための最良の形態】
【００１８】
次に、本発明の実施例について図面を参照して説明する。
なお、実施例を説明するための全図において、同一機能を有するものは同一符号を用い、繰り返しの説明は省略する。
【００１９】
本実施例にかかる移動通信システムについて、図１を参照して説明する。
【００２０】
本実施例にかかる移動通信システムは、移動局１００と、無線アクセスネットワーク装置２００とを備える。
【００２１】
移動局１００と無線アクセスネットワーク装置２００とは、少なくとも共有データチャネル（Ｓｈａｒｅｄ  Ｄａｔａ  Ｃｈａｎｎｅｌ）により、互いに無線通信を行うことができる。
【００２２】
本実施例においては、無線アクセスネットワーク装置２００が、無線基地局の機能を備え、直接移動局１００と無線通信を行う場合について説明する。無線アクセスネットワーク装置２００が、無線基地局の機能を備えず、無線アクセスネットワーク装置２００により制御される１つ以上の無線基地局を用意し、それらの基地局を介して、移動局１００と通信を行うようにしてもよい。
【００２３】
次に、本実施例にかかる移動局１００について、図２を参照して説明する。
【００２４】
移動局１００は、送受信部１６０と、送受信部１６０と接続された無線チャネル状態測定部１５０と、無線チャネル状態測定部１５０と接続された無線チャネル状態平均化部１４０と、無線チャネル状態平均化部１４０と接続された無線チャネル状態比較部１２０と、無線チャネル状態比較部１２０と接続された無線チャネル状態閾値記憶部１３０と、無線チャネル状態比較部１２０および送受信部１６０と接続された無線チャネル状態報告信号生成部１１０とを備える。
【００２５】
無線チャネル状態測定部１５０は、接続中のセルおよび周辺セルの無線チャネル状態を測定し、無線チャネル状態平均化部１４０に入力する。ここで、無線チャネル状態とは、ＣＱＩでもよいし、共通パイロットチャネルのＥＣ／Ｉ０、パスロス（Ｐａｔｈｌｏｓｓ）でもよい。また、周辺セルとは、報知情報や個別制御情報として通知されるセルでもよいし、移動局がサーチした結果受信できたセルでもよい。
【００２６】
無線チャネル状態平均化部１４０は、測定された無線チャネル状態を所定の期間平均化し、無線チャネル状態比較部１２０に入力する。
【００２７】
無線チャネル状態報告記憶部１３０は、無線アクセスネットワーク装置２００により指定された無線チャネル状態の閾値と報告するメッセージ種別とを記憶する。例えば、無線チャネル状態報告記憶部１３０は、報告するメッセージ種別として、ＣＱＩレポート、ＲＲＣメッセージを記憶する。例えば、無線チャネル状態報告閾値記憶部１３０は、図３に示すように、報告された無線チャネル状態の閾値（報告閾値）と報告するメッセージ種別（報告メッセージ種別）とを、無線アクセスネットワーク装置２００により群分けされたセル群毎に記憶する。
【００２８】
無線チャネル状態比較部１２０は、無線チャネル状態平均化部１４０により入力された平均化された無線チャネル状態と、無線チャネル状態が測定されたセルが属するセル群に対して指定された無線チャネル状態の閾値とを比較し、平均化された無線チャネル状態が該閾値以上であった場合は、閾値以上であったことを示す情報と、報告すべきメッセージ種別とを無線チャネル状態報告信号生成部１１０に入力する。前記閾値以上であったことを示す情報は、無線チャネル状態比較部１２０に入力された平均化された無線チャネル情報そのものであってもよい。
【００２９】
無線チャネル状態報告信号生成部１１０は、無線チャネル状態比較部１２０において比較された結果を示す情報と、報告すべきメッセージ種別に基づき、報告信号を生成する。例えば、無線チャネル状態報告信号生成部１１０は、報告すべきメッセージ種別が複数種類ある場合は、図４に示すようにメッセージ種別毎に別メッセージとして、無線アクセスネットワーク装置に報告を行う。例えば、無線チャネル状態報告信号生成部１１０は、ＣＱＩレポートとして、セルの識別子および該セルの識別子が示すセルのＣＱＩを示す情報を生成する。また、無線チャネル状態報告信号生成部１１０は、ＲＲＣメッセージ、例えば測定レポートとして、セルの識別子および該セルの識別子が示すセルのＥＣ／Ｉ０を示す情報を生成する。この場合、セルの識別子としては、セルに割り当てされているＩＤを使用してもよいし、当該セルに適用されているスクランブルの番号を使用してもよい。報告信号としては、無線アクセスネットワーク装置２００から指定されたメッセージ種別にしたがい、ＭＡＣの制御信号（例えば、ＣＱＩ報告）、およびＲＲＣの制御信号（例えば、Ｍｅａｓｕｒｅｍｅｎｔ  Ｒｅｐｏｒｔ）として送信してもよい。
【００３０】
次に、本実施例にかかる無線アクセスネットワーク装置２００について、図５を参照して説明する。
【００３１】
無線アクセスネットワーク装置２００は、送受信部２１０と、送受信部２１０と接続された無線チャネル状態閾値通知信号生成部２５０と、送受信部２１０と接続された通信セル変更要求判断部２２０と、通信セル変更要求判断部２２０と接続された移動局識別子選択部２３０と、通信セル変更要求判断部２２０、移動局識別子選択部２３０および送受信部２１０と接続された変更要求信号生成部２４０とを備える。
【００３２】
通信セル変更要求判断部２２０は、移動局１００から報告された無線チャネル状態に基づき通信セルの変更が必要か否かを判断する。この判断は、１回の無線チャネル状態の報告値に対して行ってもよいし、複数回連続して無線チャネル状態の報告があった場合のみ通信セルの変更が必要と判断するなど、無線アクセスネットワーク装置内で通信セル変更条件を設定してもよい。
【００３３】
移動局識別子選択部２３０は、通信セル変更要求判断部２２０により通信セルの変更が必要と判断された場合に、新規に設定されるセルで使用する当該移動局の識別子の選択を行う。移動局識別子を選択するエンティティは、移動局１００から報告されたメッセージ種別によって変わってもよい。例えば、ＣＱＩ報告の場合は、ＭＡＣエンティティが移動局識別子を選択し、ＲＲＣメッセージで報告があった場合は、ＲＲＣエンティティが移動局識別子を選択してもよい。また、前記ＲＲＣエンティティが移動局識別子を選択する場合は、ＭＡＣエンティティで使用する移動局識別子をＲＲＣメッセージの一部として含めてもよい。
【００３４】
変更要求信号生成部２４０は、通信セル変更要求判断部２２０により決定された通信セル変更情報と、新規セルが設定された場合は、移動局識別子選択部２３０で選択された移動局識別子を当該移動局に通知するためのメッセージの生成を行う。
【００３５】
無線チャネル状態報告閾値通知信号生成部２５０は、移動局１００において測定された無線チャネル状態と比較する閾値を通知するための信号を生成する。無線チャネル状態閾値通知信号生成部２５０は、この閾値を、１または複数のセルから構成されるセル群毎に設定してもよい。各セル群は、無線アクセスネットワーク装置２００の違いによって分けられてもよいし、接続中の周波数とそれ以外の周波数によって分けられてもよいし、また同一無線アクセスネットワーク装置の同一周波数とそれ以外で分けられてもよい。
【００３６】
例えば、図６に示すように、セル群０とセル群１とに群分けされ、セル群０にはセル０、セル１およびセル２、セル群１にはセル３、セル４およびセル５が含まれる場合について説明する。
【００３７】
この場合、無線チャネル状態閾値通知信号生成部２５０は、セル群を同一無線アクセスネットワーク装置内の同一周波数のセルとそれ以外のセルで分けた場合は図３を参照して説明した構成の閾値通知信号を生成することが可能である。例えば、セル群０にはメッセージ種別としてＣＱＩ報告を適用し、セル群１にはＲＲＣ  Ｍｅｓｓａｇｅを適用する。
【００３８】
本実施例にかかる無線アクセスネットワーク装置２００は、例えば、図７に示すように、無線制御装置２０１と無線基地局装置２０２とにより、実現されてもよい。
【００３９】
本実施例では、無線アクセスネットワーク装置２００が無線制御装置２０１の機能および無線基地局装置２０２の機能を備えている場合について説明した。一方、無線制御装置２０１と、無線基地局装置２０２とが別々に用意されてもよいが、データ伝送に伴う遅延を短くする観点からは、同一装置内に用意することが望ましい。
【００４０】
次に、本実施例にかかる移動通信システムにおける同一無線アクセスネットワーク装置内のセル間のセルチェンジシーケンスについて、図８を参照して説明する。
【００４１】
移動局１００は図８の（ａ）の地点で通信している状態では、セル１の無線チャネル状態のみ、無線アクセスネットワーク装置２００から指定された閾値を超えているため、無線チャネル状態報告信号生成部１１０は、セル１のみのＣＱＩを無線アクセスネットワーク装置に報告する（ステップＳ８０２）。
【００４２】
次に、移動局１００が図８の（ｂ）の地点に移動した場合、セル２の無線チャネル状態のみ、無線アクセスネットワーク装置から指定された前記閾値を超えていた場合、無線チャネル状態報告信号生成部１１０はセル２のみのＣＱＩを無線アクセスネットワーク装置２００に報告する（ステップＳ８０４）。
【００４３】
無線アクセスネットワーク装置２００の移動局識別子選択部２３０は、ＭＡＣにおいて、セル２からのＣＱＩ報告は新規であったため、セル２で移動局１００が使用する移動局識別子（Ｃ−ＲＮＴＩ：  Ｃｅｌｌ  Ｓｐｅｃｉｆｉｃ  Ｒａｄｉｏ  Ｎｅｔｗｏｒｋ  Ｔｅｍｐｏｒａｒｙ  Ｉｄｅｎｔｉｆｉｅｒ）を割り当てる。また、通信セル変更要求判断部２２０は、セル１からのＣＱＩ報告が無かったため、セル１で移動局１００が使用していた移動局識別子を移動局１００において、削除することを指示する（ステップＳ８０６）。
【００４４】
無線アクセスネットワーク装置２００の変更要求信号生成部２４０は、ＭＡＣにおいて、セル２で移動局１００が使用する移動局識別子（Ｃ−ＲＮＴＩ）を割り当てたこと、セル１で移動局１００が使用していた移動局識別子を移動局１００において、削除したことを移動局１００に通知する（ステップＳ８０８）。
【００４５】
移動局１００ではセル２で使用する移動局識別子が割り当てられたため、以後、移動局はセル２での通信が可能となる。移動局１００の無線チャネル状態報告信号生成部１１０は、セル２の無線チャネル状態のみ、無線アクセスネットワーク装置２００から指定された閾値を超えていた場合、移動局１００はセル２のみのＣＱＩを無線アクセスネットワーク装置２００に報告する（ステップＳ８１０）
本実施例によれば、移動局が同一無線アクセスネットワーク装置内のセル間を移動する際、ＲＲＣでのメッセージ交換を行わずに、セルチェンジの指示、および移行先のセルで使用する移動局識別子をＭＡＣで割り当てることが可能となる。このため、セルチェンジに伴う処理時間を短縮し、無線アクセスネットワーク装置内におけるＲＲＣの処理負荷を低減することができる。
【産業上の利用可能性】
【００４６】
本発明にかかる移動局、無線アクセスネットワーク装置およびモビリティ制御方法は、無線通信システムに適用できる。
【図面の簡単な説明】
【００４７】
【図１】本発明の一実施例にかかる移動通信システムを示すブロック図である。
【図２】本発明の一実施例にかかる移動局を示すブロック図である。
【図３】本発明の一実施例にかかる移動局の無線チャネル状態閾値記憶部を示すブロック図である。
【図４】本発明の一実施例にかかる移動局の無線チャネル状態報告信号を示すフォーマット図である。
【図５】本発明の一実施例にかかる無線アクセスネットワーク装置を示すブロック図である。
【図６】本発明の一実施例にかかるセル構成を示す図である。
【図７】本発明の一実施例にかかる無線アクセスネットワーク装置を示すブロック図である。
【図８】本発明の一実施例にかかる同一無線アクセスネットワーク装置内のセル間の通信セル変更を示すフロー図である。
【符号の説明】
【００４８】
１００  移動局
２００  無線アクセスネットワーク装置
【図１】
0004795045.tif 000002
【図２】
0004795045.tif 000003
【図３】
0004795045.tif 000004
【図４】
0004795045.tif 000005
【図５】
0004795045.tif 000006
【図６】
0004795045.tif 000007
【図７】
0004795045.tif 000008
【図８】
0004795045.tif 000009